(57)【要約】  本発明は、電子機器応用の分野に関し、GPS測位機能およびネットワーク測位機能が正常に使用されることができない場合にファイルの地理的位置情報が取得されることができないという課題を解決するために使用される、地理的位置情報を取得するための方法および装置、ならびに電子端末を開示する。本発明により提供される具体的な実施形態は、参照対象の属性情報を取得することと、参照対象の属性情報が地理的位置情報を含む場合、参照対象の生成時点と操作されるべき対象の生成時点との間の最小差分値を有する少なくとも1つの参照対象を判定することと、判定された少なくとも1つの参照対象の地理的位置情報を、操作されるべき対象の地理的位置情報として使用することと、を含む。本出願のこの実施形態は、地理的位置情報を取得する手順に主に適用される。
2018507466.tif 000002
【特許請求の範囲】
【請求項１】
地理的位置情報を取得する方法であって、前記方法は、
操作されるべき対象に対応する参照対象の属性情報を取得するステップと、
前記参照対象の前記属性情報が地理的位置情報を含む場合、前記参照対象の生成時点と前記操作されるべき対象の生成時点との間の最小差分値を有する少なくとも1つの参照対象を判定し、前記判定された少なくとも1つの参照対象の地理的位置情報を前記操作されるべき対象の地理的位置情報として使用するステップと、
を含み、
前記操作されるべき対象は、属性情報が前記地理的位置情報を含まないファイルであり、前記参照対象はファイルであり、前記参照対象の前記生成時点と前記操作されるべき対象の前記生成時点との間の前記差分値が所定値フィールドに含まれる、方法。
【請求項２】
前記方法は、
前記参照対象の前記属性情報が前記地理的位置情報を含まない場合、
所定期間内に参照アプリケーションの地理的位置情報を取得するステップであって、前記所定期間の開始時点および終了時点と前記操作されるべき対象の前記生成時点との間の差分値が前記所定値フィールドに含まれる、ステップ、および前記参照アプリケーションの前記地理的位置情報を前記操作されるべき対象の前記地理的位置情報に書き込むステップ、または、
補助参照対象の地理的位置情報を取得し、所定期間内に参照アプリケーションの地理的位置情報を取得するステップであって、前記所定期間の開始時点および終了時点と前記操作されるべき対象の前記生成時点との間の差分値が前記所定値フィールドに含まれる、ステップ、および前記参照アプリケーションの前記地理的位置情報と前記補助参照対象の前記地理的位置情報との間の同じ地理的位置情報を前記操作されるべき対象の前記地理的位置情報に書き込むステップであって、前記補助参照対象は、前記ファイルの生成時点と前記所定値フィールドに含まれない前記操作されるべき対象の前記生成時点との間の差分値を有するファイルである、ステップ、
をさらに含む、請求項1に記載の方法。
【請求項３】
前記参照対象の生成時点と前記操作されるべき対象の生成時点との間の最小差分値を有する少なくとも1つの参照対象を判定し、前記判定された少なくとも1つの参照対象の地理的位置情報を前記操作されるべき対象の地理的位置情報として使用するステップは、具体的には、
前記ファイルの生成時点と前記操作されるべき対象の前記生成時点との間の最小差分値を有するファイルを取得するステップであって、
前記ファイルの前記生成時点と前記操作されるべき対象の前記生成時点との間の前記最小差分値を有する前記ファイルの前記生成時点が前記操作されるべき対象の前記生成時点より早いか、または遅い場合、前記参照対象は、前記ファイルの前記生成時点と前記操作されるべき対象の前記生成時点との間の前記最小差分値を有する単一ファイルである、ステップと、
前記単一ファイルの地理的位置情報を前記操作されるべき対象の前記地理的位置情報に書き込むステップと
を含む、請求項1に記載の方法。
【請求項４】
前記参照対象の生成時点と前記操作されるべき対象の生成時点との間の最小差分値を有する少なくとも1つの参照対象を判定し、前記判定された少なくとも1つの参照対象の地理的位置情報を前記操作されるべき対象の地理的位置情報として使用するステップは、具体的には、
前記ファイルの生成時点と前記操作されるべき対象の前記生成時点との間の最小差分値を有するファイルを取得するステップであって、
前記ファイルの前記生成時点と前記操作されるべき対象の前記生成時点との間の前記最小差分値を有する前記ファイルの前記生成時点が前記操作されるべき対象の前記生成時点より早いか、または遅い生成時点を含む場合、前記参照対象は、複数ファイルの前記生成時点と前記操作されるべき対象の前記生成時点との間の最小差分値を有する前記複数ファイルである、ステップと、
前記複数ファイルの地理的位置情報内の同じ地理的位置情報を前記操作されるべき対象の前記地理的位置情報に書き込むステップと、
を含む、請求項1に記載の方法。
【請求項５】
前記方法は、
前記参照対象の前記属性情報が前記地理的位置情報を含まない場合、前記操作されるべき対象に対応する地理的位置情報を取得するステップと、
前記地理的位置情報を、前記操作されるべき対象の前記地理的位置情報に書き込むステップと、
をさらに含む、請求項1に記載の方法。
【請求項６】
地理的位置情報を取得するための装置であって、前記装置は、
操作されるべき対象に対応する参照対象の属性情報を取得するように構成される、取得ユニットと、
前記取得ユニットにより取得された、前記参照対象の前記属性情報が地理的位置情報を含む場合、前記参照対象の生成時点と前記操作されるべき対象の生成時点との間の最小差分値を有する少なくとも1つの参照対象を判定するように構成される、判定ユニットと、
前記判定ユニットによって判定された前記少なくとも1つの参照対象の地理的位置情報を、前記操作されるべき対象の地理的位置情報として使用するように構成される、位置書き込みユニットと、
を含み、
前記操作されるべき対象は、属性情報が前記地理的位置情報を含まないファイルであり、前記参照対象は、ファイルであり、前記参照対象の前記生成時点と前記操作されるべき対象の前記生成時点との間の前記差分値が所定値フィールドに含まれる、装置。
【請求項７】
前記装置は、
前記参照対象の前記属性情報が前記地理的位置情報を含まない場合、所定期間内に参照アプリケーションの地理的位置情報を取得するようにさらに構成される、前記取得ユニットであって、
前記所定期間の開始時点および終了時点と前記操作されるべき対象の前記生成時点との間の差分値が前記所定値フィールドに含まれ、前記所定期間の開始時点および終了時点と前記操作されるべき対象の前記生成時点との間の差分値が前記所定値フィールドに含まれる、取得ユニット、および
前記取得ユニットによって取得された、前記参照アプリケーションの前記地理的位置情報を前記操作されるべき対象の前記地理的位置情報に書き込むように構成される、前記位置書き込みユニット、または、
補助参照対象の地理的位置情報を取得し、所定期間内に参照アプリケーションの地理的位置情報を取得するようにさらに構成される前記取得ユニット、および
前記取得ユニットによって取得された、前記参照アプリケーションの前記地理的位置情報と前記補助参照対象の前記地理的位置情報との間の同じ地理的位置情報を前記操作されるべき対象の前記地理的位置情報に書き込むようにさらに構成される、前記位置書き込みユニットであって、
前記補助参照対象は、前記ファイルの生成時点と前記所定値フィールドに含まれない前記操作されるべき対象の前記生成時点との間の差分値を有するファイルである、位置書き込みユニット、
をさらに含む、請求項6に記載の装置。
【請求項８】
前記判定ユニットは、
前記ファイルの生成時点と前記操作されるべき対象の前記生成時点との間の最小差分値を有するファイルを取得するように構成される取得サブユニットであって、
前記ファイルの前記生成時点と前記操作されるべき対象の前記生成時点との間の前記最小差分値を有する前記ファイルの前記生成時点が、前記操作されるべき対象の前記生成時点より早いか、または遅い場合、前記参照対象は、前記ファイルの前記生成時点と前記操作されるべき対象の前記生成時点との間の前記最小差分値を有する単一ファイルである、取得サブユニットと、
前記取得サブユニットによって取得された前記単一ファイルの地理的位置情報を前記操作されるべき対象の前記地理的位置情報に書き込むように構成される、第1の位置書き込みサブユニットと、
を含む、請求項6に記載の装置。
【請求項９】
前記判定ユニットは、
前記ファイルの生成時点と前記操作されるべき対象の前記生成時点との間の最小差分値を有するファイルを取得するように構成される取得サブユニットであって、
前記ファイルの前記生成時点と前記操作されるべき対象の前記生成時点との間の前記最小差分値を有する前記ファイルの前記生成時点が、前記操作されるべき対象の前記生成時点より早いか、または遅い生成時点を含む場合、前記参照対象は、複数ファイルの前記生成時点と前記操作されるべき対象の前記生成時点との間の最小差分値を有する前記複数ファイルである、取得サブユニットと、
前記取得サブユニットによって取得された前記複数ファイルの地理的位置情報内の同じ地理的位置情報を、前記操作されるべき対象の前記地理的位置情報に書き込むように構成される、第2の位置書き込みサブユニットと、
を含む、請求項6に記載の装置。
【請求項１０】
前記装置は、
前記参照対象の前記属性情報が前記地理的位置情報を含まない場合、前記操作されるべき対象に対応する地理的位置情報を取得するようにさらに構成される、前記取得ユニットと、
前記取得ユニットによって取得された前記地理的位置情報を前記操作されるべき対象の前記地理的位置情報に書き込むように構成される、前記位置書き込みユニットと、
をさらに含む、請求項6に記載の装置。
【請求項１１】
電子端末であって、
プログラム命令を含む情報を記憶するように構成されるメモリと、
前記プログラム命令の実行を制御するために前記メモリに別々に結合され、具体的には、操作されるべき対象に対応する参照対象の属性情報を取得し、
前記参照対象の前記属性情報が地理的位置情報を含む場合、前記参照対象の生成時点と前記操作されるべき対象の生成時点との間の最小差分値を有する少なくとも1つの参照対象を判定し、前記判定された少なくとも1つの参照対象の地理的位置情報を前記操作されるべき対象の地理的位置情報として使用するように構成される、プロセッサであって、
前記操作されるべき対象は、属性情報が前記地理的位置情報を含まないファイルであり、前記参照対象は、ファイルであり、前記参照対象の前記生成時点と前記操作されるべき対象の前記生成時点との間の前記差分値が、所定値フィールドに含まれる、プロセッサと、
を含む電子端末。
【請求項１２】
前記プロセッサは、前記参照対象の前記属性情報が前記地理的位置情報を含まない場合、
所定期間内に参照アプリケーションの地理的位置情報を取得するようにさらに構成され、前記所定期間の開始時点および終了時点と前記操作されるべき対象の前記生成時点との間の差分値が前記所定値フィールドに含まれ、前記プロセッサは、前記参照アプリケーションの前記地理的位置情報を前記操作されるべき対象の前記地理的位置情報に書き込むようにさらに構成され、または、
前記プロセッサは、補助参照対象の地理的位置情報を取得し、所定期間内に参照アプリケーションの地理的位置情報を取得するようにさらに構成され、前記所定期間の開始時点および終了時点と前記操作されるべき対象の前記生成時点との間の差分値が前記所定値フィールドに含まれ、前記プロセッサは、前記参照アプリケーションの前記地理的位置情報と前記補助参照対象の前記地理的位置情報との間の同じ地理的位置情報を前記操作されるべき対象の前記地理的位置情報に書き込むようにさらに構成され、前記補助参照対象は、前記ファイルの生成時点と前記所定値フィールドに含まれない前記操作されるべき対象の前記生成時点との間の差分値を有するファイルである、請求項11に記載の電子端末。
【請求項１３】
前記プロセッサは、前記ファイルの生成時点と前記操作されるべき対象の前記生成時点との間の最小差分値を有するファイルを取得するようにさらに構成され、
前記ファイルの前記生成時点と前記操作されるべき対象の前記生成時点との間の前記最小差分値を有する前記ファイルの前記生成時点が、前記操作されるべき対象の前記生成時点より早いか、または遅い場合、前記参照対象は、前記ファイルの前記生成時点と前記操作されるべき対象の前記生成時点との間の前記最小差分値を有する単一ファイルであり、
前記プロセッサは、前記単一ファイルの地理的位置情報を前記操作されるべき対象の前記地理的位置情報に書き込むようにさらに構成される、
請求項11に記載の電子端末。
【請求項１４】
前記プロセッサは、前記ファイルの生成時点と前記操作されるべき対象の前記生成時点との間の最小差分値を有するファイルを取得するようにさらに構成され、
前記ファイルの前記生成時点と前記操作されるべき対象の前記生成時点との間の前記最小差分値を有する前記ファイルの前記生成時点が、前記操作されるべき対象の前記生成時点より早いか、または遅い生成時点を含む場合、前記参照対象は、複数ファイルの前記生成時点と、前記操作されるべき対象の前記生成時点との間の最小差分値を有する前記複数ファイルであり、
前記プロセッサは、前記複数ファイルの地理的位置情報内の同じ地理的位置情報を前記操作されるべき対象の前記地理的位置情報に書き込むようにさらに構成される、
請求項11に記載の電子端末。
【請求項１５】
前記プロセッサは、前記参照対象の前記属性情報が前記地理的位置情報を含まない場合、前記操作されるべき対象に対応する地理的位置情報を取得し、
前記地理的位置情報を、前記操作されるべき対象の前記地理的位置情報に書き込むようにさらに構成される、
請求項11に記載の電子端末。
【発明の詳細な説明】
【技術分野】
【０００１】
本発明は、電子機器応用の分野、詳細には、地理的位置情報を取得するための方法および装置、ならびに電子端末に関する。
【背景技術】
【０００２】
現在、いくつかの電子機器は、マルチメディアファイル撮影機能を有し、GPS（Global Positioning System、全地球測位システム）測位機能および／またはネットワーク測位機能を有する。電子機器は、撮影されたマルチメディアファイルの地理的位置情報を取得し、地理的位置情報をマルチメディアファイルに追加することが可能であり、それにより、ユーザはマルチメディアファイルを視聴し、または電子機器は撮影の位置情報に従ってマルチメディアファイルを分類する。例えば、ユーザが携帯電話を使用して写真を撮る場合、携帯電話はGPS測位機能および／またはネットワーク測位機能を有するので、写真の属性情報に撮影場所の地理的位置情報が記憶されることが可能であり、それにより、ユーザが写真を閲覧する場合、写真の撮影場所がユーザに表示され、または写真が撮影場所に従って分類され、ユーザは、撮影場所に従って写真を便利に検索することができる。しかしながら、上記の機能は、携帯電話がGPS測位機能および／またはネットワーク測位機能を有し、機能が利用可能である場合に実現される。しかしながら、ユーザが写真を撮るが、携帯電話のGPS測位機能および／またはネットワーク測位機能が正常に使用されることができない場合、撮影場所の地理的位置情報は写真に記憶されることができない。その結果、そのような写真を閲覧する場合、ユーザは、写真の撮影場所を知らない。
【発明の概要】
【課題を解決するための手段】
【０００３】
本出願の実施形態は、地理的位置情報を取得するための方法および装置ならびに電子端末を提供し、それにより、GPS測位機能およびネットワーク測位機能が正常に使用されることができない場合、操作されるべき対象の地理的位置情報が取得されることができないという課題を解決する。
【０００４】
上記の目的を達成するために、本発明の実施形態では以下の技術的解決策が使用される。
【０００５】
第1の態様によれば、本発明の一実施形態は、
操作されるべき対象に対応する参照対象の属性情報を取得するステップと、
参照対象の属性情報が地理的位置情報を含む場合、参照対象の生成時点と操作されるべき対象の生成時点との間の最小差分値を有する少なくとも1つの参照対象を判定し、判定された少なくとも1つの参照対象の地理的位置情報を操作されるべき対象の地理的位置情報として使用するステップと、を含み、
操作されるべき対象は、属性情報が地理的位置情報を含まないファイルであり、参照対象がファイルであり、参照対象の生成時点と操作されるべき対象の生成時点との間の差分値が所定値フィールドに含まれる、地理的位置情報を取得するための方法を提供する。
【０００６】
第1の態様を参照して、第1の態様の第1の可能な実現方式において、参照対象の属性情報が地理的位置情報を含まない場合、方法は、
所定期間内に参照アプリケーションの地理的位置情報を取得するステップであって、所定期間の開始時点および終了時点と操作されるべき対象の生成時点との間の差分値が所定値フィールドに含まれる、ステップ、および参照アプリケーションの地理的位置情報を操作されるべき対象の地理的位置情報に書き込むステップ、または、
補助参照対象の地理的位置情報を取得し、所定期間内に参照アプリケーションの地理的位置情報を取得するステップであって、所定期間の開始時点および終了時点と操作されるべき対象の生成時点との間の差分値が所定値フィールドに含まれる、ステップ、および参照アプリケーションの地理的位置情報と補助参照対象の地理的位置情報との間の同じ地理的位置情報を操作されるべき対象の地理的位置情報に書き込むステップであって、補助参照対象が、ファイルの生成時点と所定値フィールドに含まれない操作されるべき対象の生成時点との間の差分値を有するファイルである、ステップ、
をさらに含む。
【０００７】
第1の態様を参照して、第1の態様の第2の可能な実現方式において、参照対象の生成時点と操作されるべき対象の生成時点との間の最小差分値を有する少なくとも1つの参照対象を判定し、判定された少なくとも1つの参照対象の地理的位置情報を操作されるべき対象の地理的位置情報として使用するステップは、具体的には、
ファイルの生成時点と操作されるべき対象の生成時点との間の最小差分値を有するファイルを取得するステップであって、
ファイルの生成時点と操作されるべき対象の生成時点との間の最小差分値を有するファイルの生成時点が操作されるべき対象の生成時点より早いか、または遅い場合、参照対象は、ファイルの生成時点と操作されるべき対象の生成時点との間の最小差分値を有する単一ファイルである，ステップと、
単一ファイルの地理的位置情報を操作されるべき対象の地理的位置情報に書き込むステップと、
を含む。
【０００８】
第1の態様を参照して、第1の態様の第3の可能な実現方式において、参照対象の生成時点と操作されるべき対象の生成時点との間の最小差分値を有する少なくとも1つの参照対象を判定し、判定された少なくとも1つの参照対象の地理的位置情報を操作されるべき対象の地理的位置情報として使用するステップは、具体的には、
ファイルの生成時点と操作されるべき対象の生成時点との間の最小差分値を有するファイルを取得するステップであって、
ファイルの生成時点と操作されるべき対象の生成時点との間の最小差分値を有するファイルの生成時点が操作されるべき対象の生成時点より早いか、または遅い生成時点を含む場合、参照対象は、複数ファイルの生成時点と操作されるべき対象の生成時点との間の最小差分値を有する複数ファイルである、ステップと、
複数ファイルの地理的位置情報内の同じ地理的位置情報を操作されるべき対象の地理的位置情報に書き込むステップと、
を含む。
【０００９】
第1の態様を参照して、第1の態様の第4の可能な実現方式において、方法は、
参照対象の属性情報が地理的位置情報を含まない場合、操作されるべき対象に対応する地理的位置情報を取得するステップと、
地理的位置情報を操作されるべき対象の地理的位置情報に書き込むステップと、
をさらに含む。
【００１０】
第2の態様によれば、本発明の一実施形態は、
操作されるべき対象に対応する参照対象の属性情報を取得するように構成される、取得ユニットと、
取得ユニットにより取得された、参照対象の属性情報が地理的位置情報を含む場合、参照対象の生成時点と操作されるべき対象の生成時点との間の最小差分値を有する少なくとも1つの参照対象を判定するように構成される、判定ユニットと、
判定ユニットによって判定された少なくとも1つの参照対象の地理的位置情報を、操作されるべき対象の地理的位置情報として使用するように構成される、位置書き込みユニットと、
を含み、
操作されるべき対象は、属性情報が地理的位置情報を含まないファイルであり、参照対象は、ファイルであり、参照対象の生成時点と操作されるべき対象の生成時点との間の差分値が所定値フィールドに含まれる、地理的位置情報を取得するための装置を提供する。
【００１１】
第2の態様を参照して、第2の態様の第1の可能な実現方式において、装置は、
参照対象の属性情報が地理的位置情報を含まない場合、所定期間内に参照アプリケーションの地理的位置情報を取得するようにさらに構成される、取得ユニットであって、
所定期間の開始時点および終了時点と操作されるべき対象の生成時点との間の差分値が所定値フィールドに含まれ、所定期間の開始時点および終了時点と操作されるべき対象の生成時点との間の差分値が所定値フィールドに含まれる、取得ユニット、および
取得ユニットによって取得された、参照アプリケーションの地理的位置情報を操作されるべき対象の地理的位置情報に書き込むようにさらに構成される、位置書き込みユニット、または、
補助参照対象の地理的位置情報を取得し、所定期間内に参照アプリケーションの地理的位置情報を取得するようにさらに構成される取得ユニット、および
取得ユニットによって取得された、参照アプリケーションの地理的位置情報と補助参照対象の地理的位置情報との間の同じ地理的位置情報を操作されるべき対象の地理的位置情報に書き込むようにさらに構成される、位置書き込みユニットであって、
補助参照対象が、ファイルの生成時点と所定値フィールドに含まれない操作されるべき対象の生成時点との間の差分値を有するファイルである、位置書き込みユニット、
をさらに含む。
【００１２】
第2の態様を参照して、第2の態様の第2の可能な実現方式において、判定ユニットは、
ファイルの生成時点と操作されるべき対象の生成時点との間の最小差分値を有するファイルを取得するように構成される取得サブユニットであって、
ファイルの生成時点と操作されるべき対象の生成時点との間の最小差分値を有するファイルの生成時点が、操作されるべき対象の生成時点より早いか、または遅い場合、参照対象は、ファイルの生成時点と操作されるべき対象の生成時点との間の最小差分値を有する単一ファイルである、取得サブユニットと、
取得サブユニットによって取得された単一ファイルの地理的位置情報を操作されるべき対象の地理的位置情報に書き込むように構成される、第1の位置書き込みサブユニットと、
を含む。
【００１３】
第2の態様を参照して、第2の態様の第3の可能な実現方式において、判定ユニットは、
ファイルの生成時点と操作されるべき対象の生成時点との間の最小差分値を有するファイルを取得するように構成される取得サブユニットであって、
ファイルの生成時点と操作されるべき対象の生成時点との間の最小差分値を有するファイルの生成時点が、操作されるべき対象の生成時点より早いか、または遅い生成時点を含む場合、参照対象は、複数ファイルの生成時点と操作されるべき対象の生成時点との間の最小差分値を有する複数ファイルである、取得サブユニットと、
取得サブユニットによって取得された複数ファイルの地理的位置情報内の同じ地理的位置情報を、操作されるべき対象の地理的位置情報に書き込むように構成される、第2の位置書き込みサブユニットと、
を含む。
【００１４】
第2の態様を参照して、第2の態様の第4の可能な実現方式において、
装置は、
参照対象の属性情報が地理的位置情報を含まない場合、操作されるべき対象に対応する地理的位置情報を取得するようにさらに構成される、取得ユニットと、
取得ユニットによって取得された地理的位置情報を操作されるべき対象の地理的位置情報に書き込むように構成される、位置書き込みユニットと、
をさらに含む。
【００１５】
第3の態様によれば、本発明の一実施形態は、
プログラム命令を含む情報を記憶するように構成されるメモリと、
プログラム命令の実行を制御するためにメモリに別々に結合され、具体的には、操作されるべき対象に対応する参照対象の属性情報を取得し、
参照対象の属性情報が地理的位置情報を含む場合、参照対象の生成時点と操作されるべき対象の生成時点との間の最小差分値を有する少なくとも1つの参照対象を判定し、判定された少なくとも1つの参照対象の地理的位置情報を操作されるべき対象の地理的位置情報として使用するよう構成されるプロセッサであって、
操作されるべき対象は、属性情報が地理的位置情報を含まないファイルであり、参照対象は、ファイルであり、参照対象の生成時点と操作されるべき対象の生成時点との間の差分値が、所定値フィールドに含まれる、プロセッサと、を含む電子端末を提供する。
【００１６】
第3の態様を参照して、第3の態様の第1の可能な実現方式において、参照対象の属性情報が地理的位置情報を含まない場合、プロセッサは、
所定期間内に参照アプリケーションの地理的位置情報を取得するようにさらに構成され、所定期間の開始時点および終了時点と操作されるべき対象の生成時点との間の差分値が所定値フィールドに含まれ、プロセッサは、参照アプリケーションの地理的位置情報を操作されるべき対象の地理的位置情報に書き込むようにさらに構成され、または、
プロセッサは、補助参照対象の地理的位置情報を取得し、所定期間内に参照アプリケーションの地理的位置情報を取得するようにさらに構成され、所定期間の開始時点および終了時点と操作されるべき対象の生成時点との間の差分値が所定値フィールドに含まれ、プロセッサは、参照アプリケーションの地理的位置情報と補助参照対象の地理的位置情報との間の同じ地理的位置情報を操作されるべき対象の地理的位置情報に書き込むようにさらに構成され、補助参照対象は、ファイルの生成時点と所定値フィールドに含まれない操作されるべき対象の生成時点との間の差分値を有するファイルである。
【００１７】
第3の態様を参照して、第3の態様の第2の可能な実現方式において、
プロセッサは、ファイルの生成時点と操作されるべき対象の生成時点との間の最小差分値を有するファイルを取得するようにさらに構成され、
ファイルの生成時点と操作されるべき対象の生成時点との間の最小差分値を有するファイルの生成時点が、操作されるべき対象の生成時点より早いか、または遅い場合、参照対象は、ファイルの生成時点と操作されるべき対象の生成時点との間の最小差分値を有する単一ファイルであり、
プロセッサは、単一ファイルの地理的位置情報を操作されるべき対象の地理的位置情報に書き込むようにさらに構成される。
【００１８】
第3の態様を参照して、第3の態様の第3の可能な実現方式において、
プロセッサは、ファイルの生成時点と操作されるべき対象の生成時点との間の最小差分値を有するファイルを取得するようにさらに構成され、
ファイルの生成時点と操作されるべき対象の生成時点との間の最小差分値を有するファイルの生成時点が、操作されるべき対象の生成時点より早いか、または遅い生成時点を含む場合、参照対象は、複数ファイルの生成時点と操作されるべき対象の生成時点との間の最小差分値を有する複数ファイルであり、
プロセッサは、複数ファイルの地理的位置情報内の同じ地理的位置情報を操作されるべき対象の地理的位置情報に書き込むようにさらに構成される。
【００１９】
第3の態様を参照して、第3の態様の第4の可能な実現方式において、プロセッサは、参照対象の属性情報が地理的位置情報を含まない場合、操作されるべき対象に対応する地理的位置情報を取得するようにさらに構成され、
プロセッサは、地理的位置情報を操作されるべき対象の地理的位置情報に書き込むようにさらに構成される。
【００２０】
本発明の実施形態において提供される、地理的位置情報を取得するための方法および装置ならびに電子端末において、操作されるべき対象に対応する参照対象の属性情報が取得され、属性情報が地理的位置情報を含む場合、参照対象の生成時点と操作されるべき対象の生成時点との間の最小差分値を有する少なくとも1つの参照対象が判定され、参照対象の地理的位置情報が、操作されるべき対象の地理的位置情報として使用される。GPS測位機能またはネットワーク測位機能が正常に使用されることができる場合のみ、操作されるべき対象の地理的位置情報が判定されることができる従来技術と比較して、本発明の技術的解決策では、他の既存のアドレス情報が使用されて、操作されるべき対象の地理的位置情報を推測することができ、この処理は、GPS測位機能およびネットワーク測位機能に依存する必要が無い。
【００２１】
本発明の実施形態における、または先行技術における技術的解決策をより明確に説明するために、以下は、実施形態または先行技術を説明するために必要とされる添付図面を簡潔に説明する。明らかに、以下の説明における添付図面は、本発明のほんのいくつかの実施形態を示し、この技術分野の当業者は、創造的な努力なしでこれらの添付図面から他の図面を依然として導出し得る。
【図面の簡単な説明】
【００２２】
【図１】本発明の一実施形態による地理的位置情報を取得するための方法のフローチャートである。
【図２】本発明の一実施形態による地理的位置情報を取得するための別の方法のフローチャートである。
【図３】本発明の一実施形態による地理的位置情報を取得するための別の方法のフローチャートである。
【図４】本発明の一実施形態による地理的位置情報を取得するための別の方法のフローチャートである。
【図５】本発明の一実施形態による地理的位置情報を取得するための別の方法のフローチャートである。
【図５−１】本発明の一実施形態による地理的位置情報を取得するための別の方法のフローチャートである。
【図６】本発明の一実施形態による地理的位置情報を取得するための装置の概略構成図である。
【図７】本発明の一実施形態による地理的位置情報を取得するための別の装置の概略構成図である。
【図８】本発明の一実施形態による電子端末の概略構成図である。
【発明を実施するための形態】
【００２３】
以下は、本発明の実施形態における添付図面を参照して、本発明の実施形態における技術的解決策を明確および十分に説明する。明らかに、説明される実施形態は、本発明の実施形態のほんのいくつかであり、すべてではない。創造的努力なしで本発明の実施形態に基づいてこの技術分野の当業者によって得られる他のすべての実施形態は、本発明の保護範囲内にあるものである。
【００２４】
本出願の一実施形態は、地理的位置情報を取得するための方法を提供する。方法は、地理的位置情報を記憶する電子端末に適用される。図1に示すように、方法は、以下を含む。
【００２５】
101：操作されるべき対象に対応する参照対象の属性情報を取得する。
【００２６】
102：参照対象の属性情報が地理的位置情報を含む場合、参照対象の生成時点と操作されるべき対象の生成時点との間の最小差分値を有する少なくとも1つの参照対象を判定する。
【００２７】
操作されるべき対象は、属性情報が地理的位置情報が含まないファイルであり、参照対象は、ファイルであり、参照対象の生成時点と操作されるべき対象の生成時点との間の差分値が、所定値フィールドに含まれる。この実施形態では、操作されるべき対象のファイルタイプと参照対象のファイルタイプは、同じでも異なっていてもよい。例えば、操作されるべき対象は写真Aであり、ファイルの生成時点と操作されるべき対象の生成時点との間の最小差分値を有するファイルは映像Bである。したがって、この場合、BはAの参照対象であり、一方、AとBのファイルフォーマットは異なる。
【００２８】
本実施形態では、所定値フィールドは、参照対象の生成時点と操作されるべき対象の生成時点との間の差分値の集合である。所定値フィールドを設定する目的は、参照対象の取得された地理的位置情報に従って、操作されるべき対象の地理的位置情報をより正確に判定することである。所定値フィールドのエンドポイント値は、実際の条件に従って設定され得る。しかしながら、所定値フィールドの指定されたエンドポイント値が大きすぎるならば、参照対象の生成時点と操作されるべき対象の生成時点とが、比較的大きな間隔を有することを示していることが留意されるべきである。これに対応して、時間間隔が大きい場合、参照対象の撮影位置と操作されるべき対象の撮影位置とが互いに離れている可能性がある。結果として、参照対象の地理的位置情報を使用することによって判定される操作されるべき対象の地理的位置情報は不正確である。したがって、本発明のこの実施形態において所定値フィールドを設定する間、ユーザは、比較的大きな位置の変化を有さない可能性があると考えられる。例えば、所定値フィールドの範囲は、0から4時間に設定される。
【００２９】
103：判定された少なくとも1つの参照対象の地理的位置情報を、操作されるべき対象の地理的位置情報として使用する。
【００３０】
この実施形態におけるファイルは、地理的位置情報の内容を有するファイルを表し、マルチメディアファイルおよびテキストファイルを含み得ることが留意されるべきである。マルチメディアファイルは、写真、映像、およびアニメーションなどの特定のフォーマットを含み、テキストファイルは、リッチテキストフォーマットのファイルを含み、地理的位置情報はこれらのファイルに追加され得る。さらに、本発明の続く実施形態では、ファイルがマルチメディアファイルである例が使用される。特定のフォーマットのマルチメディアファイルおよび特定のフォーマットのテキストファイルの地理的位置情報を取得する実行手順は同様であり、したがって、この実施形態ではそれに対応して1つずつこれ以上説明されない。
【００３１】
本発明のこの実施形態で提供される地理的位置情報を取得するための方法では、操作されるべき対象に対応する参照対象の属性情報が取得され、属性情報が地理的位置情報を含む場合、参照対象の生成時点と操作されるべき対象の生成時点との間の最小差分値を有する少なくとも1つの参照対象が判定され、参照対象の地理的位置情報が、操作されるべき対象の地理的位置情報として使用される。GPS測位機能またはネットワーク測位機能が正常に使用さることができる場合のみ、操作されるべき対象の地理的位置情報が判定されることができる従来技術と比較して、本発明の技術的解決策では、他の既存のアドレス情報が使用されて、操作されるべき対象の地理的位置情報を推測することができ、この処理は、GPS測位機能およびネットワーク測位機能に依存する必要が無い。
【００３２】
本発明のこの実施形態の別の実現方式では、参照対象の属性情報が地理的位置情報を含む場合、操作されるべき対象の地理的位置情報を取得する手順が提供される。上記ステップ102および103の説明を参照して、すなわち、参照対象の生成時点と操作されるべき対象の生成時点との間の最小差分値を有する少なくとも1つの参照対象が判定される。この実現手順は、具体的には、判定された参照対象が単一ファイルまたは複数ファイルである場合を含む。
【００３３】
まず、図2に示すように、判定された参照対象が単一のファイルである場合が説明される。
【００３４】
201：ファイルの生成時点と操作されるべき対象の生成時点との間の最小差分値を有するマルチメディアファイルを取得する。
【００３５】
操作されるべき対象が第1の記憶されたマルチメディアファイルである場合、操作されるべき対象の生成時点より遅い生成時点を有する参照対象のみが取得されることができることが留意されるべきである。その代わりに、操作されるべき対象が電子機器における最後のマルチメディアファイルである場合、操作されるべき対象の生成時点より早い生成時点を有するマルチメディアファイルのみが取得されることができる。上記2つの条件では、ファイルの生成時点と操作されるべき対象の生成時点との間の最小差分値を有する単一マルチメディアファイルのみが取得される必要がある。
【００３６】
ステップ201におけるマルチメディアファイルの生成時点が、操作されるべき対象の生成時点よりも早いか、または遅い場合、参照対象は、ファイルの生成時点と操作されるべき対象の生成時点との間の最小差分値を有する単一マルチメディアファイルであることが留意されるべきである。
【００３７】
202：取得した単一ファイルの地理的位置情報を、操作されるべき対象の地理的位置情報に書き込む。
【００３８】
例えば、参照対象の地理的位置情報は「上海市−浦東区」であり、参照対象の生成時点と操作されるべき対象の生成時点との間の差分値は最小である。この場合、「上海市−浦東区」が操作されるべき対象の地理的位置情報に書き込まれる。したがって、操作されるべき対象の地理的位置情報は、「上海市−浦東区」である。
【００３９】
次に、判定された参照対象が複数ファイルである場合が説明される。図3に示すように、この場合の実行手順は、以下を含む。
【００４０】
301：ファイルの生成時点と操作されるべき対象の生成時点との間の最小差分値を有するマルチメディアファイルを取得する。
【００４１】
ファイルの生成時点と操作されるべき対象の生成時点との間の最小差分値を有するファイルの生成時点が、操作されるべき対象の生成時点より早いか、または遅い生成時点を含む場合、参照対象は、複数ファイルの生成時点と操作されるべき対象の生成時点との間の最小差分値を有する複数のマルチメディアファイルである。
【００４２】
操作されるべき対象が電子機器の第1のマルチメディアファイルでも電子機器の最後のマルチメディアファイルでもなく、電子機器が少なくとも3つのマルチメディアファイルを有する場合、操作されるべき対象のより正確な地理的位置情報を取得するために、操作されるべき対象の生成時点より早い生成時点を有する参照対象、および操作されるべき対象の生成時点より遅い生成時点を有するマルチメディアファイルが取得され、それにより、操作されるべき対象の地理的位置情報は、2つの参照対象の地理的位置情報に従って判定されることができることが留意されるべきである。
【００４３】
302：取得された複数のマルチメディアファイルの地理的位置情報内の同じ地理的位置情報を、操作されるべき対象の地理的位置情報に書き込む。
【００４４】
ステップ302の説明では、参照対象の取得された地理的位置情報が「市−区−道路」で表され、条件を満たす取得された参照対象が2つのマルチメディアファイルである例を使用することによって説明が行われる。2つのマルチメディアファイルの地理的位置情報において、具体的な道路名および道路より具体的な場所の情報が異なるならば、2つのマルチメディアファイル内の地理的位置情報の同じ部分、すなわち、「市−区」を表す部分が、操作されるべき対象の地理的位置情報として使用される。例えば、条件を満たす取得された参照対象は、参照対象1および参照対象2であり、取得された参照対象1の地理的位置情報は「上海市−浦東区」であり、取得された参照対象2の地理的位置情報は、「上海市−虹口区」である。この場合、参照対象1および参照対象2における同じ地理的位置情報は、「上海市」である。したがって、「上海市」が、操作されるべき対象の地理的位置情報に書き込まれる。
【００４５】
図1に示した実施形態の上記説明を参照して、本発明のこの実施形態の別の実現方式では、参照対象の属性情報が地理的位置情報を含まない場合に操作されるべき対象の地理的位置情報をどのように判定するかの処理が説明され、具体的には、参照アプリケーションの地理的位置情報を使用することによって、または参照アプリケーションの地理的位置情報および補助参照対象の地理的位置情報を使用することによって、操作されるべき対象の地理的値情報を判定することである。
【００４６】
補助参照対象は、ファイルの生成時点と所定値フィールドに含まれない操作されるべき対象の生成時点との間の差分値を有するマルチメディアファイルである。すなわち、補助参照対象は、地理的位置情報を含むファイルである。しかしながら、補助参照対象の生成時点と操作されるべき対象の生成時点との間の差分値は、比較的大きく、所定値フィールドで指定された差分値を超える。
【００４７】
このステップの説明では、操作されるべき対象の地理的位置情報を判定する2つの方式、すなわち、参照アプリケーションの地理的位置情報を使用することによって判定すること、または参照アプリケーションの地理的位置情報および補助参照対象の地理的位置情報を使用して判定することが含まれる。具体的な判定手順は、以下のステップの図4および図5に示す実施形態において詳細に説明される。
【００４８】
参照対象がこの実施形態で説明される地理的位置情報を含む場合と、参照対象がこの実施形態で説明される地理的位置情報を含まない場合は、2つの並列実行手順である。したがって、本実施形態のステップが実行される前に、参照対象の属性情報が地理的位置情報を有するかどうかを判定するステップが暗黙的に含まれ、添付図面にはこれ以上示されない。
【００４９】
本発明のこの実施形態で提供される実現方式では、参照対象の属性情報が地理的位置情報を含まない場合、参照アプリケーションを使用することによって、操作されるべき対象の地理的位置情報を判定する手順が提供される。図4に示すように、手順は、以下を含む。
【００５０】
401：所定期間内に参照アプリケーションの地理的位置情報を取得する。
【００５１】
所定期間の開始時点および終了時点と操作されるべき対象の生成時点との間の差分値が、所定値フィールドに含まれる。この実施形態では、参照アプリケーションは、測位機能を有する任意のアプリケーション、例えば、ウェザーキャスト・アプリケーション（Moji Weather）およびチャットツール（WeChatまたはQQ）であり得る。さらに、これらのアプリケーションがリアルタイムな測位を行った後、デバイスが配置されている場所の記録が特定の期間内に記憶されることができる。
【００５２】
402：参照アプリケーションの地理的位置情報を、操作されるべき対象の地理的位置情報に書き込む。
【００５３】
本発明の実施形態で提供される別の実施形態では、参照対象の属性情報が地理的位置情報を含まない場合、操作されるべき対象の地理的位置情報を判定する別の方法が、詳細に説明される。参照アプリケーションの地理的位置情報と補助参照対象の地理的位置情報とを使用することによって、操作されるべき対象の地理的位置情報を判定する手順が具体的に説明される。図5に示すように、方法は、以下を含む。
【００５４】
501：補助参照対象の地理的位置情報を取得する。
【００５５】
502：所定期間内に参照アプリケーションの地理的位置情報を取得する。
【００５６】
所定期間の開始時点および終了時点と操作されるべき対象の生成時点との間の差分値が、所定値フィールドに含まれる。この実施形態では、取得された参照アプリケーションは、地理的位置情報を取得する時点と操作されるべき対象の生成時点との間の最小差分値を有するアプリケーションである。
【００５７】
503：参照アプリケーションの地理的位置情報と補助参照対象の地理的位置情報との間の同じ地理的位置情報を、操作されるべき対象の地理的位置情報に書き込む。
【００５８】
ステップ503で説明された参照アプリケーションの地理的位置情報と補助参照対象の地理的位置情報との間の同じ地理的値情報を操作されるべき対象の地理的位置情報に書き込む手順、および上記ステップ302で説明された複数のマルチメディアファイルの地理的位置情報内の同じ地理的位置情報を操作されるべき対象の地理的位置情報に書き込む処理は、同様であり、ここではこれ以上説明されないことが留意されるべきである。
【００５９】
本発明で提供される別の実施形態は、地理的位置情報を取得するための方法を提供する。この実施形態は、参照対象の属性情報が地理的位置情報を含まない場合、操作されるべき対象の地理的位置情報を判定する手順を提供する。図3、図4、および図5で説明された上記の方法の手順とは異なり、この実施形態では、参照対象、補助参照対象、または参照アプリケーションの地理的位置情報は、使用されないことが可能性であるが、代わりに、操作されるべき対象に対応する地理的位置情報が取得され、地理的位置情報が、操作されるべき対象の地理的位置情報に書き込まれる。
【００６０】
この実施形態では、操作されるべき対象に対応する地理的位置情報を取得する具体的な方式は、限定しないが、以下の3つの形式を含む。
【００６１】
第1の形式：ユーザによって入力された地理的位置情報を直接受け取る。
【００６２】
第2の形式：操作されるべき対象に対応するアイコン上で、ユーザによるドラッグ操作を検出し、ドラッグ操作により操作されるべき対象に対応する地理的位置情報を判定する。
【００６３】
第2の形式では、地理的位置情報は、地理的位置の座標であり得ることが留意されるべきである。ドラッグは、操作されるべき対象に対応するアイコンをユーザが地図上でドラッグすることを指す。ユーザがドラッグすることをやめたことが検出された場合、操作されるべき対象に対応するアイコンの中心点であり、地図上の座標点に対応する座標点は、操作されるべき対象に対応する地理的位置情報である。
【００６４】
この実施形態では、地理的位置の座標は、操作されるべき対象の地理的位置情報の表示形式である。当然、地理的位置情報は、位置を表すための他のデータであることも可能であり、この実施形態において1つずつ具体的にこれ以上説明されない。
【００６５】
第3の形式：操作されるべき対象の特徴情報を解析し、ネットワークデータベースから、操作されるべき対象と同じ特徴情報を有する画像を判定し、ネットワークデータベース内の画像の地理的位置情報を、操作されるべき対象の地理的位置情報に書き込む。
【００６６】
第3の形式では、まず操作されるべき対象の特徴情報が取得されることが留意されるべきである。そして、操作されるべき対象の特徴情報が、ネットワークデータベース内の画像と比較され、操作されるべき対象と同じ特徴情報を有する画像が判定され、画像の地理的位置情報が取得される。最後に、地理的位置情報が、操作されるべき対象の地理的位置情報として使用され、操作されるべき対象の属性情報に書き込まれる。例えば、操作されるべき対象の解析を通して取得される特徴情報は、オリエンタルパールテレビ塔である。したがって、比較を通して、ネットワークデータベースから取得された特徴情報は、オリエンタルパールテレビ塔の画像の地理的位置情報でもある。画像の地理的位置情報が「上海市−浦東区」であることが取得されたならば、操作されるべき対象の地理的位置情報に「上海市−浦東区」が書き込まれる。
【００６７】
本発明の別の実施形態は、地理的位置情報を取得する方法を提供し、この実施形態は、方法の全体の実行手順を説明する。図5−1に示すように、実行手順は、以下を含む。
【００６８】
S100：参照対象の属性情報を取得する。
【００６９】
さらに、参照対象の属性情報が地理的位置情報を含む場合、以下のステップS101およびS102が実行され、参照対象の属性情報が地理的位置情報を含まない場合、以下のステップS201aおよびS202a、ステップS201aおよびS202a、またはステップS201cが実行される。S201aおよびS202aは、1つの実行例を表し、S201aおよびS202aは、別の実行例を示し、S201cは、第3の実行例を示す。
【００７０】
S101：参照対象の生成時点と操作されるべき対象の生成時点との間の最小差分値を有する少なくとも1つの参照対象を判定する。
【００７１】
S102：ステップS101で判定された少なくとも1つの参照対象の地理的位置情報を、操作されるべき対象の地理的位置情報として使用する。
【００７２】
ステップS102の上記の説明を参照して、S102の具体的な実行手順は、以下の2つの場合を含み、第1の場合は、以下の2つのステップS1021およびS1022を含む。
【００７３】
S1021：ファイルの生成時点と操作されるべき対象の生成時点との間の最小差分値を有する単一ファイルを取得する。
【００７４】
S1022：単一ファイルの地理的位置情報を、操作されるべき対象の地理的位置情報に書き込む。
【００７５】
第2の場合は、以下のステップS1023およびS1024を含む。
【００７６】
S1023：ファイルの生成時点と操作されるべき対象の生成時点との間の最小差分値を有する複数ファイルを取得する。
【００７７】
S1024：複数ファイルの地理的位置情報内の同じ地理的位置情報を、操作されるべき対象の地理的位置情報に書き込む。
【００７８】
S201a：所定期間内に参照アプリケーションの地理的位置情報を取得する。
【００７９】
S202a：参照アプリケーションの地理的位置情報を、操作されるべき対象の地理的位置情報に書き込む。
【００８０】
S201b：補助参照対象の地理的位置情報を取得する。
【００８１】
補助参照対象の対応する説明は、上記ステップ302に含まれる関連する説明と同じであり、ここではこれ以上説明されない。
【００８２】
S202b：所定期間内に参照アプリケーションの地理的位置情報を取得する。
【００８３】
S203b：参照アプリケーションの地理的位置情報と補助参照対象の地理的位置情報との間の同じ地理的位置情報を、操作されるべき対象の地理的位置情報に書き込む。
【００８４】
S201c：操作されるべき対象に対応する地理的位置情報を取得し、その地理的位置情報を、操作されるべき対象の地理的位置情報に書き込む。
【００８５】
ステップS201cで操作されるべき対象に対応する地理的位置情報を取得する3つの形式の関連する内容は、上記の実施形態における内容と同じであり、ここではこれ以上説明されないことが留意されるべきである。
【００８６】
本発明のこの実施形態で提供される地理的位置情報を取得する方法では、参照対象の属性情報が取得され、参照対象の属性情報が地理的位置情報を含む場合、参照対象の生成時点と操作されるべき対象の生成時点との間の最小差分値を有する少なくとも1つの参照対象が判定され、参照対象の地理的位置情報が、操作されるべき対象の地理的位置情報として使用され、参照対象の属性情報が地理的位置情報を含まない場合、操作されるべき対象の地理的位置情報は、参照アプリケーションの地理的位置情報および／または補助参照対象の地理的位置情報を使用することによって判定される。GPS測位機能またはネットワーク測位機能が正常に使用されることができる場合のみ、操作されるべき対象の地理的位置情報が判定されることができる従来技術と比較して、本発明の技術的解決策では、他の既存のアドレス情報が使用されて、操作されるべき対象の地理的位置情報を推測することができ、この処理は、GPS測位機能およびネットワーク測位機能に依存する必要が無い。
【００８７】
地理的位置情報を取得する方法の手順の上記の説明を参照して、この実施形態において、関係する参照対象、補助参照対象、および操作されるべき対象は、すべて、電子端末を使用することによって生成されるファイルである。ファイルの説明は、上記のステップ103の関連する説明と同じであり、ここではこれ以上説明されない。さらに、この実施形態では、同じ実施形態において、参照対象、補助参照対象、および操作されるべき対象の具体的なフォーマットは同じであっても異なっていてもよい。例えば、操作されるべき対象が写真である場合、対応する参照対象および対応する補助参照対象は、映像または画像であってもよい。
【００８８】
本発明のこの実施形態は、地理的位置情報を取得するための装置をさらに提供する。図6に示すように、装置は、取得ユニット61、判定ユニット62、および位置書き込みユニット63を含む。
【００８９】
取得ユニット61は、操作されるべき対象に対応する参照対象の属性情報を取得するように構成される。
【００９０】
判定ユニット62は、取得ユニット61によって取得された参照対象の属性情報が地理的位置情報を含む場合、参照対象の生成時点と操作されるべき対象の生成時点との間の最小差分値を有する少なくとも1つの参照対象を判定するように構成される。
【００９１】
位置書き込みユニット63は、操作されるべき対象の地理的位置情報として、判定ユニット62によって判定された少なくとも1つの参照対象の地理的位置情報を使用するように構成される。
【００９２】
操作されるべき対象は、属性情報が地理的位置情報を含まないファイルであり、参照対象は、ファイルであり、参照対象の生成時点と操作されるべき対象の生成時点との間の差分値が、所定値フィールドに含まれる。
【００９３】
この実施形態において提供される装置のオプションの構成方式はまた、
参照対象の属性情報が地理的位置情報を含まない場合、所定期間内に参照アプリケーションの地理的位置情報を取得するようにさらに構成される、取得ユニット61であって、
所定期間の開始時点および終了時点と操作されるべき対象の生成時点との間の差分値が所定値フィールドに含まれ、所定期間の開始時点および終了時点と操作されるべき対象の生成時点との間の差分値が所定値フィールドに含まれる、取得ユニット61と、
取得ユニット61によって取得された、参照アプリケーションの地理的位置情報を操作されるべき対象の地理的位置情報に書き込むようにさらに構成される、位置書き込みユニット63と、
補助参照対象の地理的位置情報を取得し、所定期間内に参照アプリケーションの地理的位置情報を取得するようにさらに構成される、取得ユニット61と、
取得ユニット61によって取得された、参照アプリケーションの地理的位置情報と補助参照対象の地理的位置情報との間の同じ地理的位置情報を操作されるべき対象の地理的位置情報に書き込むようにさらに構成される、位置書き込みユニット63と、
を含む。
【００９４】
補助参照対象は、ファイルの生成時点と所定値フィールドに含まれない操作されるべき対象の生成時点との間の差分値を有するファイルである。
【００９５】
本発明で提供される別の実施形態では、図7に示すように、判定ユニット62は、第1の位置書き込みサブユニット621、第2の位置書き込みサブユニット622、および取得サブユニット623をさらに含む。装置は、位置書き込みユニット63をさらに含む。
【００９６】
取得サブユニット623は、ファイルの生成時点と操作されるべき対象の生成時点との間の最小差分値を有するファイルを取得するように構成される。
【００９７】
ファイルの生成時点と操作されるべき対象の生成時点との間の最小差分値を有するファイルの生成時点が、操作されるべき対象の生成時点より早いか、または遅い場合、参照対象は、ファイルの生成時点と操作されるべき対象の生成時点との間の最小差分値を有する単一ファイルである。
【００９８】
第1の位置書き込みサブユニット621は、取得サブユニット623によって取得された単一ファイルの地理的位置情報を、操作されるべき対象の地理的位置情報に書き込むように構成される。
【００９９】
参照対象の属性情報が地理的位置情報を含まない場合、装置は、以下をさらに含む。
【０１００】
取得サブユニット623は、ファイルの生成時点と操作されるべき対象の生成時点との間の最小差分値を有するファイルを取得するように構成される。
【０１０１】
ファイルの生成時点と操作されるべき対象の生成時点との間の最小差分値を有するファイルの生成時点が、操作されるべき対象の生成時点より早いか、または遅い生成時点を含む場合、参照対象は、ファイルの生成時点と操作されるべき対象の生成時点との間の最小差分値を有する複数ファイルであることが留意されるべきである。
【０１０２】
第2の位置書き込みサブユニット622は、取得サブユニット621によって取得された複数ファイルの地理的位置情報内の同じ地理的位置情報を、操作されるべき対象の地理的位置情報に書き込むように構成される。
【０１０３】
本発明で提供される別の実施形態では、装置は、以下をさらに含む。
【０１０４】
取得ユニット61は、参照対象の属性情報が地理的位置情報を含まない場合、操作されるべき対象に対応する地理的位置情報を取得するようにさらに構成される。
【０１０５】
位置書き込みユニット63は、取得ユニット61によって取得された地理的位置情報を、操作されるべき対象の地理的位置情報に書き込むようにさらに構成される。
【０１０６】
図6および図7に示した上記の装置は、図1から図5に示した方法の手順を実現するために使用され得ることが留意されるべきである。説明の容易さのために、本発明のこの実施形態に関連する部分のみが示される。開示されていない具体的な技術的詳細については、図1から図5に示される本発明の実施形態の関連する内容の説明を参照されたい。
【０１０７】
本発明のこの実施形態で提供される地理的位置情報を取得する装置について、取得ユニットは操作されるべき対象に対応する参照対象の属性情報を取得し、属性情報が地理的位置情報を含む場合、判定ユニットは参照対象の生成時点と操作されるべき対象の生成時点との間の最小差分値を有する少なくとも1つの参照対象を判定し、さらに、位置書き込みユニットは参照対象の地理的位置情報を操作されるべき対象の地理的位置情報として使用し、参照対象の属性情報が地理的位置情報を含まない場合、取得ユニットは参照アプリケーションの地理的位置情報および／または補助参照対象の地理的位置情報、ならびに操作されるべき対象に対応する地理的位置情報を取得し、位置書き込みユニットは参照アプリケーションの取得された地理的位置情報を操作されるべき対象の地理的位置情報に書き込む。GPS測位機能またはネットワーク測位機能が正常に使用されることができる場合のみ、操作されるべき対象の地理的位置情報が判定されることができる従来技術と比較して、本発明の技術的解決策では、他の既存のアドレス情報が使用されて、操作されるべき対象の地理的位置情報を推測することができ、この処理は、GPS測位機能およびネットワーク測位機能に依存する必要が無い。
【０１０８】
本発明の一実施形態は、電子端末を提供する。図8に示すように、電子端末は、メモリ111とプロセッサ112とを含む。メモリ111とプロセッサ112とは、バスを通して接続され、互いにデータを送信し得る。
【０１０９】
メモリ111は、プログラム命令を含む情報を記憶するように構成される。
【０１１０】
プロセッサ112は、プログラム命令の実行を制御するためにメモリに別々に結合され、
具体的には、操作されるべき対象に対応する参照対象の属性情報を取得し、参照対象の属性情報が地理的位置情報を含む場合、参照対象の生成時点と操作されるべき対象の生成時点との間の最小差分値を有する少なくとも1つの参照対象を判定し、判定された少なくとも1つの参照対象の地理的位置情報を、操作されるべき対象の地理的位置情報として使用するように構成される。
【０１１１】
操作されるべき対象は、属性情報が地理的位置情報を含まないファイルであり、参照対象は、ファイルであり、参照対象の生成時点と操作されるべき対象の生成時点との間の差分値が、所定値フィールドに含まれる。
【０１１２】
プロセッサ112は、参照対象の属性情報が地理的位置情報を含まない場合、参照アプリケーションの地理的位置情報を所定期間内に取得し、参照アプリケーションの地理的位置情報を操作されるべき対象の地理的位置情報に書き込むようにさらに構成される。
【０１１３】
所定期間の開始時点および終了時点と操作されるべき対象の生成時点との間の差分値が、所定値フィールドに含まれる。
【０１１４】
プロセッサ112は、補助参照対象の地理的位置情報を取得し、所定期間内に参照アプリケーションの地理的位置情報を取得し、参照アプリケーションの地理的位置情報と補助参照対象の地理的位置情報との間の同じ地理的位置情報を、操作されるべき対象の地理的位置情報に書き込むようにさらに構成される。
【０１１５】
所定期間の開始時点および終了時点と操作されるべき対象の生成時点との間の差分値は、所定値フィールドに含まれ、補助参照対象は、ファイルの生成時点と、所定値フィールドに含まれない操作されるべき対象の生成時点との間の差分値を有するファイルである。
【０１１６】
この実施形態で提供される電子端末のオプションの構成方式では、プロセッサ112は、ファイルの生成時点と操作されるべき対象の生成時点との間の最小差分値を有するファイルを取得するようにさらに構成される。ファイルの生成時点と操作されるべき対象の生成時点との間の最小差分値を有するファイルの生成時点が、操作されるべき対象の生成時点より早いか、または遅い場合、単一ファイルの地理的位置情報が、操作されるべき対象の地理的位置情報に書き込まれる。
【０１１７】
参照対象は、ファイルの生成時点と操作されるべき対象の生成時点との間の最小差分値を有する単一ファイルである。
【０１１８】
プロセッサ112は、ファイルの生成時点と操作されるべき対象の生成時点との間の最小差分値を有するファイルを取得し、ファイルの生成時点と操作されるべき対象の生成時点との間の最小差分値を有するファイルの生成時点が、操作されるべき対象の生成時点より早いか、または遅い生成時点を含む場合、複数ファイルの地理的位置情報内の同じ地理的位置情報を、操作されるべき対象の地理的位置情報に書き込むようにさらに構成される。
【０１１９】
参照対象は、ファイルの生成時点と操作されるべき対象の生成時点との間の最小差分値を有する複数ファイルである。
【０１２０】
プロセッサ112は、参照対象の属性情報が地理的位置情報を含まない場合、操作されるべき対象に対応する地理的位置情報を取得し、地理的位置情報を、操作されるべき対象の地理的位置情報に書き込むようにさらに構成される。
【０１２１】
図8に示す電子端末は、図1から図5に示す方法の手順を実行するように構成されることが留意されるべきである。
【０１２２】
本発明のこの実施形態で提供される地理的位置情報を取得するための電子端末は、操作されるべき対象に対応する参照対象の属性情報を取得し、属性情報が地理的位置情報を含む場合、参照対象の生成時点と操作されるべき対象の生成時点との間の最小差分値を有する少なくとも1つの参照対象を判定し、参照対象の地理的位置情報を、操作されるべき対象の地理的位置情報として使用する。GPS測位機能またはネットワーク測位機能が正常に使用されることができる場合のみ、操作されるべき対象の地理的位置情報が判定されることができる従来技術と比較して、本発明の技術的解決策では、他の既存のアドレス情報が使用されて、操作されるべき対象の地理的位置情報を推測することができ、この処理は、GPS測位機能およびネットワーク測位機能に依存する必要が無い。
【０１２３】
簡潔で簡便な説明の目的のために、上記の機能モジュールの区分は、説明のための一例としてなされたことはこの技術分野の当業者によって明確に理解され得る。実際の応用において、上記の機能は、要件に従って異なる機能モジュールに割り当てられ、実現されることができ、すなわち、装置の内部構成は、上記の機能のすべてまたはいくつかを実現するために、異なる機能モジュールに区分される。上記のシステム、装置、およびユニットの詳細な動作処理について、上記の方法の実施形態における対応する処理への参照が行われることが可能であり、詳細はここではこれ以上説明されない。
【０１２４】
本発明において提供されたいくつかの実施形態において、開示されたシステム、装置、および方法は、他の方式で実現され得ることが理解されるべきである。例えば、説明された装置の実施形態は、単なる例示である。例えば、モジュールまたはユニットの区分は、単なる論理機能区分であり、実際の実現において他の区分であり得る。例えば、複数のユニットまたは構成要素が別のシステムに組み合わされまたは統合されてもよく、またはいくつかの機能は無視されるか、または実行されなくてもよい。加えて、表示されたまたは論述された相互結合または直接結合または通信接続は、いくつかのインターフェースを使用することによって実現されてもよい。装置またはユニット間の間接結合または通信接続は、電気的、機械的、または他の形式で実現されてもよい。
【０１２５】
別々の部分として説明されたユニットは、物理的に別々であってもよいし、物理的に別々でなくてもよく、ユニットとして表示された部分は、物理的ユニットであってもよいし、物理ユニットでなくてもよく、１つの場所に配置されてもよいし、複数のネットワークユニット上に分散されてもよい。いくつかの、またはすべてのユニットは、実施形態の解決策の目的を達成するために、実際の必要性に従って選択され得る。
【０１２６】
加えて、本発明の実施形態における機能ユニットは、1つの処理ユニットに統合されてもよく、またはユニットのそれぞれは、物理的に独立して存在してもよく、または2つ以上のユニットが1つのユニットに統合される。統合されたユニットは、ハードウェアの形態で実現されてもよく、またはソフトウェア機能ユニットの形態で実現されてもよい。
【０１２７】
統合されたユニットが、ソフトウェア機能ユニットの形式で実現され、および独立の製品として販売もしくは使用される場合、統合されたユニットは、コンピュータ読み取り可能な記憶媒体に記憶されてもよい。そのような理解に基づいて、本質的な本発明の技術的解決策、または先行技術に貢献する部分、または技術的解決策のすべてもしくは一部は、ソフトウェア製品の形態で実現されてもよい。ソフトウェア製品は、記憶媒体に記憶され、コンピュータデバイス（パーソナルコンピュータ、サーバ、またはネットワークデバイスであってもよい）またはプロセッサ（processor）に、本発明の実施形態で説明された方法のステップのすべてまたは一部を実行するように命令するいくつかの命令を含む。上記の記憶媒体は、USBフラッシュドライブ、リムーバブルハードディスク、リードオンリメモリ（ROM、Read-Only Memory）、ランダム・アクセス・メモリ（RAM、Random Access Memory）、磁気ディスク、または光学ディスクなどの、プログラムコードを記憶することができるあらゆる媒体を含む。
【０１２８】
上記の説明は、本発明の単なる特定の実現方式であり、本発明の保護範囲を限定することは意図されない。本発明で開示される技術的範囲内でこの技術分野の当業者によって容易に理解されるあらゆる変形または置換は、本発明の保護範囲内にあるものである。したがって、本発明の保護範囲は、請求項の保護範囲に従うものである。
【符号の説明】
【０１２９】
61  取得ユニット
62  判定ユニット
63  位置書き込みユニット
111  メモリ
112  プロセッサ
621  第1の位置書き込みサブユニット
622  第2の位置書き込みサブユニット
623  取得サブユニット
【図１】
2018507466.tif 000003
【図２】
2018507466.tif 000004
【図３】
2018507466.tif 000005
【図４】
2018507466.tif 000006
【図５】
2018507466.tif 000007
【図５−１】
2018507466.tif 000008
【図６】
2018507466.tif 000009
【図７】
2018507466.tif 000010
【図８】
2018507466.tif 000011
【手続補正書】
【提出日】平成29年8月16日(2017.8.16)
【手続補正１】
【補正対象書類名】特許請求の範囲
【補正対象項目名】全文
【補正方法】変更
【補正の内容】
【特許請求の範囲】
【請求項１】
地理的位置情報を取得する方法であって、前記方法は、
操作されるべき対象に対応する参照対象の属性情報を取得するステップと、
前記参照対象の前記属性情報が地理的位置情報を含む場合、前記参照対象の生成時点と前記操作されるべき対象の生成時点との間の最小差分値を有する少なくとも1つの参照対象を判定し、前記判定された少なくとも1つの参照対象の地理的位置情報を前記操作されるべき対象の地理的位置情報として使用するステップと、
を含み、
前記操作されるべき対象は、属性情報が前記地理的位置情報を含まないファイルであり、前記参照対象はファイルであり、前記参照対象の前記生成時点と前記操作されるべき対象の前記生成時点との間の前記差分値が所定値フィールドに含まれる、方法。
【請求項２】
前記方法は、
前記参照対象の前記属性情報が前記地理的位置情報を含まない場合、
所定期間内に参照アプリケーションの地理的位置情報を取得するステップであって、前記所定期間の開始時点および終了時点と前記操作されるべき対象の前記生成時点との間の差分値が前記所定値フィールドに含まれる、ステップ、および前記参照アプリケーションの前記地理的位置情報を前記操作されるべき対象の前記地理的位置情報に書き込むステップ、または、
補助参照対象の地理的位置情報を取得し、所定期間内に参照アプリケーションの地理的位置情報を取得するステップであって、前記所定期間の開始時点および終了時点と前記操作されるべき対象の前記生成時点との間の差分値が前記所定値フィールドに含まれる、ステップ、および前記参照アプリケーションの前記地理的位置情報と前記補助参照対象の前記地理的位置情報との間の同じ地理的位置情報を前記操作されるべき対象の前記地理的位置情報に書き込むステップであって、前記補助参照対象は、前記ファイルの生成時点と前記所定値フィールドに含まれない前記操作されるべき対象の前記生成時点との間の差分値を有するファイルである、ステップ、
をさらに含む、請求項1に記載の方法。
【請求項３】
前記参照対象の生成時点と前記操作されるべき対象の生成時点との間の最小差分値を有する少なくとも1つの参照対象を判定し、前記判定された少なくとも1つの参照対象の地理的位置情報を前記操作されるべき対象の地理的位置情報として使用するステップは、具体的には、
前記ファイルの生成時点と前記操作されるべき対象の前記生成時点との間の最小差分値を有するファイルを取得するステップであって、
前記ファイルの前記生成時点と前記操作されるべき対象の前記生成時点との間の前記最小差分値を有する前記ファイルの前記生成時点が前記操作されるべき対象の前記生成時点より早いか、または遅い場合、前記参照対象は、前記ファイルの前記生成時点と前記操作されるべき対象の前記生成時点との間の前記最小差分値を有する単一ファイルである、ステップと、
前記単一ファイルの地理的位置情報を前記操作されるべき対象の前記地理的位置情報に書き込むステップと
を含む、請求項1に記載の方法。
【請求項４】
前記参照対象の生成時点と前記操作されるべき対象の生成時点との間の最小差分値を有する少なくとも1つの参照対象を判定し、前記判定された少なくとも1つの参照対象の地理的位置情報を前記操作されるべき対象の地理的位置情報として使用するステップは、具体的には、
前記ファイルの生成時点と前記操作されるべき対象の前記生成時点との間の最小差分値を有するファイルを取得するステップであって、
前記ファイルの前記生成時点と前記操作されるべき対象の前記生成時点との間の前記最小差分値を有する前記ファイルの前記生成時点が前記操作されるべき対象の前記生成時点より早いか、または遅い生成時点を含む場合、前記参照対象は、複数ファイルの前記生成時点と前記操作されるべき対象の前記生成時点との間の最小差分値を有する前記複数ファイルである、ステップと、
前記複数ファイルの地理的位置情報内の同じ地理的位置情報を前記操作されるべき対象の前記地理的位置情報に書き込むステップと、
を含む、請求項1に記載の方法。
【請求項５】
前記方法は、
前記参照対象の前記属性情報が前記地理的位置情報を含まない場合、前記操作されるべき対象に対応する地理的位置情報を取得するステップと、
前記地理的位置情報を、前記操作されるべき対象の前記地理的位置情報に書き込むステップと、
をさらに含む、請求項1に記載の方法。
【請求項６】
地理的位置情報を取得するための装置であって、前記装置は、
操作されるべき対象に対応する参照対象の属性情報を取得するように構成される、取得ユニットと、
前記取得ユニットにより取得された、前記参照対象の前記属性情報が地理的位置情報を含む場合、前記参照対象の生成時点と前記操作されるべき対象の生成時点との間の最小差分値を有する少なくとも1つの参照対象を判定するように構成される、判定ユニットと、
前記判定ユニットによって判定された前記少なくとも1つの参照対象の地理的位置情報を、前記操作されるべき対象の地理的位置情報として使用するように構成される、位置書き込みユニットと、
を含み、
前記操作されるべき対象は、属性情報が前記地理的位置情報を含まないファイルであり、前記参照対象は、ファイルであり、前記参照対象の前記生成時点と前記操作されるべき対象の前記生成時点との間の前記差分値が所定値フィールドに含まれる、装置。
【請求項７】
前記装置は、
前記参照対象の前記属性情報が前記地理的位置情報を含まない場合、所定期間内に参照アプリケーションの地理的位置情報を取得するようにさらに構成される、前記取得ユニットであって、
前記所定期間の開始時点および終了時点と前記操作されるべき対象の前記生成時点との間の差分値が前記所定値フィールドに含まれ、前記所定期間の開始時点および終了時点と前記操作されるべき対象の前記生成時点との間の差分値が前記所定値フィールドに含まれる、取得ユニット、および
前記取得ユニットによって取得された、前記参照アプリケーションの前記地理的位置情報を前記操作されるべき対象の前記地理的位置情報に書き込むように構成される、前記位置書き込みユニット、または、
補助参照対象の地理的位置情報を取得し、所定期間内に参照アプリケーションの地理的位置情報を取得するようにさらに構成される前記取得ユニット、および
前記取得ユニットによって取得された、前記参照アプリケーションの前記地理的位置情報と前記補助参照対象の前記地理的位置情報との間の同じ地理的位置情報を前記操作されるべき対象の前記地理的位置情報に書き込むようにさらに構成される、前記位置書き込みユニットであって、
前記補助参照対象は、前記ファイルの生成時点と前記所定値フィールドに含まれない前記操作されるべき対象の前記生成時点との間の差分値を有するファイルである、位置書き込みユニット、
をさらに含む、請求項6に記載の装置。
【請求項８】
前記判定ユニットは、
前記ファイルの生成時点と前記操作されるべき対象の前記生成時点との間の最小差分値を有するファイルを取得するように構成される取得サブユニットであって、
前記ファイルの前記生成時点と前記操作されるべき対象の前記生成時点との間の前記最小差分値を有する前記ファイルの前記生成時点が、前記操作されるべき対象の前記生成時点より早いか、または遅い場合、前記参照対象は、前記ファイルの前記生成時点と前記操作されるべき対象の前記生成時点との間の前記最小差分値を有する単一ファイルである、取得サブユニットと、
前記取得サブユニットによって取得された前記単一ファイルの地理的位置情報を前記操作されるべき対象の前記地理的位置情報に書き込むように構成される、第1の位置書き込みサブユニットと、
を含む、請求項6に記載の装置。
【請求項９】
前記判定ユニットは、
前記ファイルの生成時点と前記操作されるべき対象の前記生成時点との間の最小差分値を有するファイルを取得するように構成される取得サブユニットであって、
前記ファイルの前記生成時点と前記操作されるべき対象の前記生成時点との間の前記最小差分値を有する前記ファイルの前記生成時点が、前記操作されるべき対象の前記生成時点より早いか、または遅い生成時点を含む場合、前記参照対象は、複数ファイルの前記生成時点と前記操作されるべき対象の前記生成時点との間の最小差分値を有する前記複数ファイルである、取得サブユニットと、
前記取得サブユニットによって取得された前記複数ファイルの地理的位置情報内の同じ地理的位置情報を、前記操作されるべき対象の前記地理的位置情報に書き込むように構成される、第2の位置書き込みサブユニットと、
を含む、請求項6に記載の装置。
【請求項１０】
前記装置は、
前記参照対象の前記属性情報が前記地理的位置情報を含まない場合、前記操作されるべき対象に対応する地理的位置情報を取得するようにさらに構成される、前記取得ユニットと、
前記取得ユニットによって取得された前記地理的位置情報を前記操作されるべき対象の前記地理的位置情報に書き込むように構成される、前記位置書き込みユニットと、
をさらに含む、請求項6に記載の装置。
【請求項１１】
電子端末であって、
プログラム命令を含む情報を記憶するように構成されるメモリと、
前記プログラム命令の実行を制御するために前記メモリに別々に結合され、具体的には、操作されるべき対象に対応する参照対象の属性情報を取得し、
前記参照対象の前記属性情報が地理的位置情報を含む場合、前記参照対象の生成時点と前記操作されるべき対象の生成時点との間の最小差分値を有する少なくとも1つの参照対象を判定し、前記判定された少なくとも1つの参照対象の地理的位置情報を前記操作されるべき対象の地理的位置情報として使用するように構成される、プロセッサであって、
前記操作されるべき対象は、属性情報が前記地理的位置情報を含まないファイルであり、前記参照対象は、ファイルであり、前記参照対象の前記生成時点と前記操作されるべき対象の前記生成時点との間の前記差分値が、所定値フィールドに含まれる、プロセッサと、
を含む電子端末。
【請求項１２】
前記プロセッサは、前記参照対象の前記属性情報が前記地理的位置情報を含まない場合、
所定期間内に参照アプリケーションの地理的位置情報を取得するようにさらに構成され、前記所定期間の開始時点および終了時点と前記操作されるべき対象の前記生成時点との間の差分値が前記所定値フィールドに含まれ、前記プロセッサは、前記参照アプリケーションの前記地理的位置情報を前記操作されるべき対象の前記地理的位置情報に書き込むようにさらに構成され、または、
前記プロセッサは、補助参照対象の地理的位置情報を取得し、所定期間内に参照アプリケーションの地理的位置情報を取得するようにさらに構成され、前記所定期間の開始時点および終了時点と前記操作されるべき対象の前記生成時点との間の差分値が前記所定値フィールドに含まれ、前記プロセッサは、前記参照アプリケーションの前記地理的位置情報と前記補助参照対象の前記地理的位置情報との間の同じ地理的位置情報を前記操作されるべき対象の前記地理的位置情報に書き込むようにさらに構成され、前記補助参照対象は、前記ファイルの生成時点と前記所定値フィールドに含まれない前記操作されるべき対象の前記生成時点との間の差分値を有するファイルである、請求項11に記載の電子端末。
【請求項１３】
前記プロセッサは、前記ファイルの生成時点と前記操作されるべき対象の前記生成時点との間の最小差分値を有するファイルを取得するようにさらに構成され、
前記ファイルの前記生成時点と前記操作されるべき対象の前記生成時点との間の前記最小差分値を有する前記ファイルの前記生成時点が、前記操作されるべき対象の前記生成時点より早いか、または遅い場合、前記参照対象は、前記ファイルの前記生成時点と前記操作されるべき対象の前記生成時点との間の前記最小差分値を有する単一ファイルであり、
前記プロセッサは、前記単一ファイルの地理的位置情報を前記操作されるべき対象の前記地理的位置情報に書き込むようにさらに構成される、
請求項11に記載の電子端末。
【請求項１４】
前記プロセッサは、前記ファイルの生成時点と前記操作されるべき対象の前記生成時点との間の最小差分値を有するファイルを取得するようにさらに構成され、
前記ファイルの前記生成時点と前記操作されるべき対象の前記生成時点との間の前記最小差分値を有する前記ファイルの前記生成時点が、前記操作されるべき対象の前記生成時点より早いか、または遅い生成時点を含む場合、前記参照対象は、複数ファイルの前記生成時点と、前記操作されるべき対象の前記生成時点との間の最小差分値を有する前記複数ファイルであり、
前記プロセッサは、前記複数ファイルの地理的位置情報内の同じ地理的位置情報を前記操作されるべき対象の前記地理的位置情報に書き込むようにさらに構成される、
請求項11に記載の電子端末。
【請求項１５】
前記プロセッサは、前記参照対象の前記属性情報が前記地理的位置情報を含まない場合、前記操作されるべき対象に対応する地理的位置情報を取得し、
前記地理的位置情報を、前記操作されるべき対象の前記地理的位置情報に書き込むようにさらに構成される、
請求項11に記載の電子端末。
【請求項１６】
実行されるとき、請求項１から５のいずれか一項に記載の方法を装置に実現させる命令を含むコンピュータ読み取り可能な媒体。
【国際調査報告】
2018507466.tif 000012
2018507466.tif 000013
2018507466.tif 000014
2018507466.tif 000015